(57)【特許請求の範囲】
【請求項１】
上下方向に所定の長さを有し、外周にコイルが巻回される、ボイスコイルモータ方式のレンズ駆動装置におけるレンズホルダであって、
前記レンズホルダの外周壁から径方向で外側に向かって突出し、前記レンズホルダの外周に巻回されるコイルの下部側の高さ位置を位置決めする鍔部と、
前記レンズホルダの外周壁から径方向で外側に向かって突出する突起部と、を有し、
当該突起部は、径方向における外側から径方向内側に向かって下向きに傾斜し、前記突起部の本体部における周方向の端部を除いて形成されている傾斜面を備えていて、前記傾斜面の最内径側と前記鍔部の上側面との間の寸法が前記コイルを整列巻きしたときの巻幅と一致し、前記傾斜面の最内径側が前記コイルの上部側の高さ位置を位置決めし、
前記傾斜面の周方向の端部から前記突起部の前記本体部に向かって傾斜し前記傾斜面の周方向の端部を前記突起部の本体部と接続する第二の傾斜面が形成してある
ことを特徴とするレンズホルダ。
【請求項２】
前記突起部は、周方向に所定の間隔をあけて複数設けてあることを特徴とする請求項１記載のレンズホルダ。
【請求項３】
請求項１記載のレンズホルダを備えているボイスコイルモータ方式のレンズ駆動装置。
【請求項４】
請求項３記載のレンズ駆動装置を備えているカメラ装置。
【請求項５】
請求項４記載のレンズ駆動装置を備えている電子機器。
【発明の詳細な説明】
【技術分野】
【０００１】
この発明は、上下方向に所定の長さを有し、外周にコイルが巻回される、ボイスコイルモータ方式のレンズ駆動装置におけるレンズホルダと、当該レンズホルダを備えているレンズ駆動装置、カメラ装置、並びに、電子機器に関する。
【背景技術】
【０００２】
オートフォーカスカメラや、カメラ付きの電子機器には、従来から、ボイスコイルモータ方式（ＶＣＭ方式）のレンズ駆動装置が採用されている。このレンズ駆動装置によって光軸方向などにおけるレンズの位置を調整し、フォーカスやズームなどが行われている。
【０００３】
ボイスコイルモータ方式のレンズ駆動装置では、例えば、（特許文献１）に示すような構成が提案されている。
【０００４】
この（特許文献１）のレンズ駆動装置は、レンズホルダと、スペーサ部と、コイルと、ヨークと、マグネットと、一対の固定部材と、導電性のシート部材とを備えている。
【０００５】
レンズホルダは上下方向に所定の長さを有し、レンズを周囲から囲んだ状態で保持する。
【０００６】
スペーサ部は、レンズホルダの外周面で周方向に一定間隔毎に複数形成され、外周面から外方に向けて所定距離離間した位置にガイド面を有する。
【０００７】
コイルは平面視で環状で、前記複数のスペーサ部のガイド面に内周面が面接触した状態で、前記レンズホルダの周囲を囲むように取り付けられる。
【０００８】
ヨークは、前記レンズホルダに組み合わされるもので、外筒部と、複数の爪部とを備えている。外筒部は、前記コイルを内部に収納可能な枠状である。複数の爪部は、該外筒部の上下方向における一端側の外縁から前記レンズホルダ側に向けて９０度折曲された背面部と、該背面部からさらに９０度折曲され、隣接する前記スペーサ部間で前記コイルと前記レンズホルダの外周面との間に配される。
【０００９】
マグネットは、該ヨークの外筒部内面に固定され、前記コイルに対して対向配置される。
【００１０】
一対の固定部材は、前記レンズホルダを移動可能な状態で前記ヨークを上下の両側から挟み込んで固定する。
【００１１】
導電性のシート部材は、該一対の固定部材と前記ヨークとの間に挟まれ、前記レンズホルダが移動したときに逆方向にばね力を付与すると共に前記コイルに電気的接続される。
【００１２】
前記ガイド面は、前記コイルの上下方向における高さと少なくとも同じ高さになるように形成されている。
【００１３】
さらに、前記複数のスペーサ部は、前記コイルを高さ方向に位置決めさせる突起部を有している。
【００１４】
この（特許文献１）のレンズ駆動装置では、前記コイルは、前記複数のスペーサ部のガイド面に直接巻回された直巻きコイルになっている。
【００１５】
そして、コイルを正確に位置決めした状態で安定的に支持することができ、部品間のギャップを極力小さくして小型化を図ることができるとされている。
【００１６】
図７（ａ）、図７（ｂ）はこのようなレンズ駆動装置に採用されている従来のレンズホルダにコイルが巻回される方式を説明する図である。従来は、レンズホルダ１０１の外周面に、コイル１０２の高さ方向に位置決めさせる突起部となるスペーサ部１０１ａ、１０１ｂが形成される。コイル線を確実に両スペーサ部１０１ａ、１０１ｂの間に入れるためには、この両スペーサ部１０１ａ、１０１ｂ間の上下方向の距離は、整列巻きしたときのコイル１０２の上下方向の巻幅＋レンズホルダ１０１の寸法公差以上にする必要があった。
【００１７】
整列巻きは、フォーカス等の位置制御を行うための安定した推力を得るために必要なものである。
【００１８】
図７（ａ）図示の方法は、このスペーサ部１０１ａ、１０１ｂを基準にして、コイル１０２をレンズホルダ１０１の周方向に巻回している。すなわち、コイル５の上下方向巻幅は、スペーサ部１０１ａ、１０１ｂ間の上下方向の距離と同じになるように形成されている。そのため、整列巻きが難しいという問題があった。
【００１９】
図７（ｂ）図示の方法は、スペーサ部１０１ａの位置にとらわれずに、整列巻きを行うものである。このようにすると、スペーサ部１０１ａと巻線後のコイル１０２との間に隙間が形成されることになってしまう。この隙間が存在することによりレンズホルダ１０１に巻回したコイル１０２が矢印１０３で示すようにガタつくという問題があった。
【先行技術文献】
【特許文献】
【００２０】
【特許文献１】特開２００７−１２１６９５号公報
【発明の概要】
【発明が解決しようとする課題】
【００２１】
この発明は、上下方向に所定の長さを有し、外周にコイルが巻回される、ボイスコイルモータ方式のレンズ駆動装置におけるレンズホルダへのコイルの整列巻きを容易に行うことを可能とし、なおかつ、レンズホルダに巻回したコイルがガタつくことを抑制できるレンズホルダと、これが採用されているレンズ駆動装置、カメラ装置、並びに、電子機器を提案することを目的にしている。
【課題を解決するための手段】
【００２２】
請求項１記載の発明は、
上下方向に所定の長さを有し、外周にコイルが巻回される、ボイスコイルモータ方式のレンズ駆動装置におけるレンズホルダであって、
前記レンズホルダの外周壁から径方向で外側に向かって突出し、前記レンズホルダの外周に巻回されるコイルの下部側の高さ位置を位置決めする鍔部と、
前記レンズホルダの外周壁から径方向で外側に向かって突出する突起部と、を有し、
当該突起部は、径方向における外側から径方向内側に向かって下向きに傾斜し、前記突起部の本体部における周方向の端部を除いて形成されている傾斜面を備えていて、前記傾斜面の最内径側と前記鍔部の上側面との間の寸法が前記コイルを整列巻きしたときの巻幅と一致し、前記傾斜面の最内径側が前記コイルの上部側の高さ位置を位置決めし、
前記傾斜面の周方向の端部から前記突起部の前記本体部に向かって傾斜し前記傾斜面の周方向の端部を前記突起部の本体部と接続する第二の傾斜面が形成してある
ことを特徴とするレンズホルダ
である。
【発明の効果】
【００２３】
この発明によれば、上下方向に所定の長さを有し、外周にコイルが巻回される、ボイスコイルモータ方式のレンズ駆動装置におけるレンズホルダへのコイルの整列巻きを容易に行うことを可能とし、なおかつ、レンズホルダに巻回したコイルがガタつくことを抑制できるレンズホルダと、これが採用されているレンズ駆動装置、カメラ装置、並びに、電子機器を提供することができる。
【図面の簡単な説明】
【００２４】
【図１】本発明のレンズホルダが採用される本発明のレンズ駆動装置の一例を表す分解斜視図。
【図２】本発明のレンズホルダが採用される本発明のレンズ駆動装置の一例を表す図であって、（ａ）は平面図、（ｂ）はＡ−Ａ断面図。
【図３】本発明の一実施形態に係るレンズホルダの下方からの一部拡大斜視図。
【図４】本発明の一実施形態に係るレンズホルダの斜視図。
【図５】本発明の一実施形態に係るレンズホルダの正面図。
【図６】本発明の一実施形態に係るコイルが巻回されている状態を示すレンズホルダを表す正面図。
【図７】（ａ）、（ｂ）はレンズ駆動装置に採用される従来のレンズホルダにコイルを巻回する従来の方式を説明する図。
【発明を実施するための形態】
【００２５】
本発明は、ＶＣＭ方式のレンズ駆動装置が組み込まれているオートフォーカスカメラや、このようなオートフォーカスカメラが備えられている携帯電話、多機能携帯電話、等の電子機器に採用される。
【００２６】
（実施の形態１）
本発明のレンズホルダの実施形態を、添付図面を参照して説明する。まず、図１、図２を用いて本実施の形態１のレンズホルダが採用されるＶＣＭ方式のレンズ駆動装置を説明する。
【００２７】
図２（ｂ）において上側が光軸方向における前側、下側が光軸方向における後側である。
【００２８】
図１、図２に例示されているレンズ駆動装置１は、フレーム２、ヨーク３、レンズホルダ４、コイル５、マグネット６、前側スプリング７、後側スプリング８、ベース９を備えている。
【００２９】
ベース９にヨーク３が支持され、ヨーク３にマグネット６が取り付けられている。上下方向（光軸方向）に所定の長さを有するレンズホルダ４によってレンズ（不図示）が支持される。レンズホルダ４の外周には前述したマグネット６に対向するようにコイル５が配置されている。図示の例では、ヨーク３は環状で、ベース９とフレーム２との間に固定的に配置される。
【００３０】
フレーム２、ベース９にそれぞれ支持される前側スプリング７と後側スプリング８とが、光軸方向における前後からレンズホルダ４を挟み込む。これによって、レンズホルダ４は、上下方向等に移動自在に支持される。
【００３１】
マグネット６はヨーク３の外周壁３ａの内側に配置される。図示の実施形態では、環状のヨーク３は、平面視で略矩形状の略四角筒形状体になっている。そして、４個のマグネット６が、それぞれ、ヨーク３の４個の角部の外周壁３ａの内側に配置されている。
【００３２】
上下方向（光軸方向）に所定の長さを有するレンズホルダ４はその内側に不図示のレンズを支持する。また、レンズホルダ４の外周に、４個のマグネット６に対向するようにコイル５が巻回される。また、図示の実施形態では、４個のマグネット６に対応する位置では、レンズホルダ４の外周とコイル５との間に隙間を設けて、ヨーク３の内周壁３ｂをその隙間に挿入している。
【００３３】
図示の実施形態では、レンズホルダ４が、略円筒形状になっていることに対応して、各マグネット６の内周側は、レンズホルダ４の外周に沿った円弧状になっている。
【００３４】
コイル５に印加する電流を制御することにより推力を発生させ、レンズホルダ４及びこれに支持されているレンズを光軸方向に移動させる。これにより、レンズ（不図示）は、前側スプリング７、後側スプリング８の復元力と釣り合う位置まで移動し、フォーカスやズームなどが行われる。
【００３５】
図３〜図６は本発明の実施形態のレンズホルダ４の一例を表すものである。
【００３６】
レンズホルダ４は、筒状の形状で、上下方向（光軸方向）に所定の長さを有する。レンズホルダ４は、その内側に不図示のレンズを支持し、その外周にコイル５が巻回される。
【００３７】
レンズホルダ４の外周には、周方向に所定の間隔をあけて、外周壁１２から径方向で外側に向かって突出する突起部１３ａ、１３ｂ、１３ｃ、１３ｄが形成されている。
【００３８】
突起部１３ａ〜１３ｄはレンズホルダ４の外周に巻回されるコイル５の上部側の高さ位置を位置決めする役割を果たす。
【００３９】
一方、図示の実施形態では、レンズホルダ４の下部側において外周に形成されている環状の鍔部１４の上側面が、レンズホルダ４の外周に巻回されるコイル５の下部側の高さ位置を位置決めする役割を果たす。
【００４０】
図４、図５図示のように、本実施形態のレンズホルダ４では、レンズホルダ４の外周壁に備えられている鍔部１４は、レンズホルダ４の外周壁の周方向における所定の箇所に切欠き部２４を備えている。図示の実施形態では、切欠き部２４を、レンズホルダ４の周方向において突起部１３ａ〜１３ｄが形成されている位置に形成している。
【００４１】
突起部１３ａ〜１３ｄが形成されている位置の鍔部１４には切欠き部２４が形成されているが、切欠き部２４が形成されている箇所でも、鍔部１４の上側面の高さ位置が、レンズホルダ４の外周に巻回されるコイル５の下部側の高さ位置となる。
【００４２】
また、光軸方向における突起部１３ａ〜１３ｄと鍔部１４との間には、周方向に所定の間隔をあけて、外周壁１２の本体から径方向で外側に向かって隆起する巻回面４ａ、４ｂ、４ｃ、４ｄが形成されている。コイル５が巻回されたときに巻回面４ａ〜４ｄにコイル５の内周面が当接する。
【００４３】
本実施の形態において、突起部１３ａ〜１３ｄは、それぞれ巻回面４ａ〜４ｄに対応した位置に設けてある。また、鍔部１４には、突起部１３ａ〜１３ｄに対応した位置に切欠き部２４が設けてある。逆に鍔部１４の切欠き部２４以外の鍔部本体部分は、突起部１３ａ〜１３ｄの間の周方向の間隔に対応した位置に設けてある。ヨーク３の内周壁３ｂが挿入されるのは、隆起した巻回面４ａから４ｂの隣接する二つの巻回面の間の隙間である。
【００４４】
なお、巻回面４ａ〜４ｄを外周壁１２の本体から隆起させない構造にすることもできる。この場合、ヨーク３は、レンズホルダ４の外周とコイル５との間に形成されている隙間に挿入される内周壁３ｂを備えていない構造になる。
【００４５】
突起部１３ａ〜１３ｄは、径方向における外側から径方向内側に向かって下向きに傾斜する傾斜面１５ａ〜１５ｄを備えている。各突起部１３ａ〜１３ｄがそれぞれ備えている傾斜面をそれぞれ符号１５ａ〜１５ｄで表すこととする。
【００４６】
突起部１３ａ〜１３ｄがそれぞれ傾斜面１５ａ〜１５ｄを備えていることにより、鍔部１４から突起部１３ａ〜１３ｄまでの上下方向（光軸方向）の寸法は、突起部１３ａ〜１３ｄの最内径側が最も小さく、外径側に行くほど大きい。
【００４７】
鍔部１４の上側面と突起部１３ａ〜１３ｄの最内径側との間の上下方向の距離、即ち巻回面４ａ〜４ｄの上下方向の寸法は、コイル５を整列巻きしたときの巻幅（上下方向の寸法）と一致するように形成している。また、鍔部１４の上側面と突起部１３ａ〜１３ｄの最外径側との間の上下方向の距離は、レンズホルダ４とコイル線の寸法公差を考慮しても、確実にコイル線を巻回できる寸法にしている。すなわち、鍔部１４の上側面と突起部１３ａ〜１３ｄの最外径側との間の上下方向の距離は、コイル５の上下方向の巻幅＋レンズホルダ４の寸法公差以上の寸法にしている。
【００４８】
また、本実施の形態においては、傾斜面１５ａ〜１５ｄは、突起部１３ａ〜１３ｄの周方向の端部を除いて形成していて、周方向の端部には突起部１３ａ〜１３ｄの本体部との間に第二の傾斜面１５ｅをそれぞれ設けている。これによって、巻回時にコイル線に傷が入ることを抑制することができる。第二の傾斜面１５ｅは、平面に限らず、Ｒ面やその他の面形状でも良く、傾斜面１５ａ~１５ｄの周方向端部のエッジでコイル線に傷が入りにくい形状であれば良い。
【００４９】
この実施形態のレンズホルダ４に整列巻きを施す。すると、鍔部１４の上側面と突起部１３ａ〜１３ｄの最外径側との間の上下方向の距離が公差範囲内で小さいものができても、コイル線は確実に鍔部１４と突起部１３ａ〜１３ｄとの間に入るし、整列巻きがほぼできる。
【００５０】
また、鍔部１４の上側面と突起部１３ａ〜１３ｄの最外径側との間の上下方向の距離が公差範囲内で大きいものができても、コイル５が巻回面４ａ〜４ｄ上を動く余裕がほとんど無い。そこで、コイル５が光軸方向にガタつくのを抑制することができる。これによって、傾斜面１５ａ〜１５ｄの最内径側がコイル５の上部側の高さ位置を位置決めすることができる。
【００５１】
また、突起部１３ａ〜１３ｄを、周方向に所定の間隔をあけて、複数設けることによって、鍔部１４の上側面と突起部１３ａ〜１３ｄの最内径側との間の上下方向の距離が公差範囲内で小さいものができても、容易に整列巻きとすることができる。
【００５２】
この実施の形態では、突起部１３ａ〜１３ｄに対応した位置の鍔部には切欠き部２４が設けてある。しかし、突起部１３ａ〜１３ｄはレンズホルダ４の周方向に所定の間隔をあけて形成されており、鍔部１４の切欠き部２４以外の鍔部本体部分は、突起部１３ａ〜１３ｄの間の周方向の間隔に対応した位置に設けてある。そこで、切欠き部２４が形成されている箇所でも、鍔部１４の上側面に対応する位置と突起部１３ａ〜１３ｄの最内径側との間の上下方向の距離が公差範囲内で小さいものができても、容易に整列巻きとすることができる。
さらに図３〜図５に示すように、光軸方向から見て、鍔部１４の切欠き部２４以外の鍔部本体部分と突起部１３ａ〜１３ｄは重ならない。即ち、レンズホルダ４の周方向において、コイル５が鍔部本体部分及び突起部１３ａ〜１３ｄの両方に挟まれている部分が無い。これによってさらに容易に整列巻きとすることができる。たとえ鍔部１４と突起部１３ａ〜１３ｄの最内径側との間の寸法が小さくできても、無理やりその間にコイル線が入れ込まれることなく、コイル線が空いている方の空間に逃げることができるので、整列巻きしやすい。
また、図３に示すように、切欠き部２４は巻回面４ａと面一に形成されている。切欠き部２４の方を巻回面４ａよりも半径方向内側に凹ませても良い。切欠き部２４は巻回面４ａよりも半径方向外側に突出していないので、レンズホルダ４を製造する際に上下に分割した金型だけで製造可能になる。そこで、レンズホルダ４を容易に製造することができる。
【００５３】
そこで、この実施形態によれば、整列巻きと、光軸方向のガタつき抑制を同時に実現できるレンズホルダを提供できる。
【００５４】
図４、図５図示のように、本実施形態のレンズホルダ４では、鍔部１４は、切欠き部２４に向かうにつれて鍔部１４の上側面が下り傾斜に傾斜する鍔部傾斜部２５を備えている。また、鍔部傾斜部２５とは上下方向の反対側の鍔部１４に、下方向に突出する突部２６を設けている。
【００５５】
コイル５をレンズホルダ４に巻きつけるにあたり、コイル線は、まず、突部２６に引っ掛けられてから、切欠き部２４の下方から切欠き部２４内に導入され、鍔部傾斜部２５を経由して鍔部１４の上側面に導かれる。鍔部１４の上側面は、レンズホルダ４の外周に巻回されるコイル５の下部側の高さ位置を位置決めする。鍔部傾斜部２５を巻き始めの傾斜部として利用することにより、巻き始めスタートのコイル線が曲がる負荷を小さくし、レンズホルダ４の外周を一周してきた２列目をまっすぐにエントリーさせることができる。これによって、より容易に、また、より正確に整列巻を行うことができる。
【００５６】
次に内周側から順に整列巻きを行い、最後に別位置の切欠き部２４から切欠き部２４の下方へコイル線を導き、その切欠き部２４がある位置にある突部２６に引っ掛けられて終了する。
【００５７】
突部２６は半径方向の外側に突出させても良い。
【００５８】
また、隣接する突起部１３ａ〜１３ｄの間から巻線装置の巻線調整治具を挿入して、巻回面４ａ〜４ｄの間のコイル線を案内したり、コイル５の上下方向の巻幅を規制したりしても良い。
【００５９】
以上の通り、本実施形態のレンズホルダ４によれば、レンズホルダ４の外周壁１２から径方向で外側に向かって突出し、レンズホルダ４の外周に巻回されるコイル５の下部側の高さ位置を位置決めする鍔部１４と、レンズホルダ４の外周壁１２から径方向で外側に向かって突出する突起部１３ａ〜１３ｄとを備えている。当該突起部１３ａ〜１３ｄは、径方向における外側から径方向内側に向かって下向きに傾斜する傾斜面１５ａ〜１５ｄを備えていて、傾斜面１５ａ〜１５ｄの最内径側がコイル５の上部側の高さ位置を位置決めする構成となっている。そのため、整列巻きと、光軸方向のガタつき抑制を同時に実現できるレンズホルダを提供できる。整列巻きは、フォーカス等の位置制御を行うための安定した推力を得るために必要なものであり、この実施形態のレンズホルダによれば、フォーカス等の位置制御を一層安定して行うことができる。
【００６０】
そこで、本実施形態のレンズホルダ４を備えているボイスコイルモータ方式のレンズ駆動装置１によれば、より一層精密なレンズホルダ４の移動を可能とし、使用中にコイル５がガタつくなどの不具合が生じにくく、フォーカス等の位置制御を一層安定して行うことができるレンズ駆動装置１を提供することができる。
【００６１】
また、このような本実施形態のレンズ駆動装置１を備えているオートフォーカスカメラ等のカメラ装置、このようなカメラ装置を備えている携帯電話、多機能携帯電話、等の電子機器によれば、より一層精密なレンズホルダの移動を可能とし、使用中にコイル５がガタつくなどの不具合が生じにくく、フォーカス等の位置制御を一層安定して行うことができるい電子機器を提供することができる。
【００６２】
以上、添付図面を参照して本発明の好ましい実施形態を説明したが、本発明は、上述した実施形態に限定されるものではなく、特許請求の範囲の記載から把握される技術的範囲において種々に変更可能である。
【符号の説明】
【００６３】
１  レンズ駆動装置
２  フレーム
３  ヨーク
４  レンズホルダ
５  コイル
６  マグネット
７  前側スプリング
８  後側スプリング
９  ベース
１２  外周壁
１３ａ、１３ｂ、１３ｃ、１３ｄ  突起部
１４  鍔部
１５ａ、１５ｂ、１５ｃ、１５ｄ  傾斜面
２４  切欠き部
２５  鍔部傾斜部
【図１】
0006035523.tif 000002
【図２】
0006035523.tif 000003
【図３】
0006035523.tif 000004
【図４】
0006035523.tif 000005
【図５】
0006035523.tif 000006
【図６】
0006035523.tif 000007
【図７】
0006035523.tif 000008